(57)【要約】【課題】遊技者が複数のレートのそれぞれで持玉を有している場合、使用する台間機のレートに合わせて持玉の払い出しを受けることを可能とする。【解決手段】ユニット２は、単位遊技媒体をいくらで払い出すかを示すレートが予め設定され、当該設定されたレートとは異なるレートに係る遊技媒体を払い出し可能に構成され、持玉数を、前記レート毎に口座で区分けして記憶する払出用口座情報記憶手段１３を有し、サーバ３は、持玉数を、前記レート毎に口座で区分し、識別情報を関連付けて記憶するサーバ持玉数情報記憶手段２１と、前記識別情報に基づいて、持玉数を特定する照会手段２４と、遊技媒体払出装置識別情報に基づいて、当該ユニット２のレートを特定するレート特定手段２６と、特定されたレートを基準として、特定された持玉数のうち特定されたレート以外のレートに係る持玉数を、特定されたレートで換算する換算手段２３とを有する構成とした。【選択図】図１
2014221258.tif 000002
【特許請求の範囲】
【請求項１】
遊技機に対応して設けられている遊技媒体払出装置と、当該遊技媒体払出装置と接続されている管理装置とからなる遊技媒体払出システムであって、
前記遊技媒体払出装置は、
単位遊技媒体をいくらで払い出すかを示すレートが予め設定され、当該設定されたレートとは異なるレートに係る遊技媒体を払い出し可能に構成され、
遊技者が遊技の結果獲得した遊技媒体数である持玉数を、前記レート毎に口座で区分けして記憶する払出用口座情報記憶手段を有し、
前記管理装置は、
持玉数を、前記レート毎に口座で区分し、遊技者を識別する識別情報を関連付けて記憶する持玉数記憶手段と、
前記識別情報に基づいて、持玉数を特定する照会手段と、
遊技媒体払出装置を識別する遊技媒体払出装置識別情報に基づいて、当該遊技媒体払出装置について設定されているレートを特定するレート特定手段と、
特定されたレートを基準として、特定された持玉数のうち特定されたレート以外のレートに係る持玉数を、特定されたレートで換算する換算手段とを有することを特徴とする、遊技媒体払出システム。
【請求項２】
前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
遊技媒体の払い出しが行われた口座を確認すると共に、当該口座が自身に設定されたレートに係る口座であるか否かを確認する払出口座確認手段と、
前記払出口座確認手段によって遊技媒体の払い出しが行われた口座が自身に設定されたレートに係る口座以外の口座であると確認された場合に、当該口座の持玉数と自身に設定されたレートに係る口座の持玉数とを合算し、合算後の持玉数を自身に設定されたレートに係る口座に更新して記憶させる合算手段と、
前記識別情報と、前記払出用口座情報記憶手段に記憶されている持玉数を送信する情報送受信手段とを有し、
前記換算手段は、持玉数を受信すると、前記遊技媒体払出装置に設定されたレートに係る口座以外の口座に係る持玉数のうち、遊技媒体の払い出しが行われなかった口座に係る持玉数を、前記持玉数記憶手段の該当口座に係るレートで再換算することを特徴とする、請求項１に記載の遊技媒体払出システム。
【請求項３】
前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
前記払出用口座情報記憶手段に記憶されている各口座の持玉数を、当該各口座に係るレートで再換算する遊技媒体払出装置換算手段とを有することを特徴とする、請求項１に記載の遊技媒体払出システム。
【請求項４】
前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
自身に設定されたレートに係る口座以外の口座の持玉数と自身に設定されたレートに係る口座の持玉数とを合算し、合算後の持玉数を自身に設定されたレートに係る口座に更新して記憶させる合算手段とを有することを特徴とする、請求項１に記載の遊技媒体払出システム。
【発明の詳細な説明】
【技術分野】
【０００１】
本発明は、遊技者が遊技の結果獲得した遊技媒体、いわゆる持玉を払い出す遊技媒体払出システムに関するものである。
【背景技術】
【０００２】
近年、各遊技機に対応して計数機を設けることによって、遊技者が遊技の結果獲得した遊技媒体、いわゆる持玉をデータ化し、随時、データ化した持玉を遊技機に隣接して設けられた台間機から払い出すことができるようになった。
【０００３】
特許文献１では、遊技客側にパチンコ玉を払出す玉計数手段３０により払出される玉は、ゲーム面１１の裏側に一体的に取付けたオーバーフロー通路部材６０の前皿用供給路６１を通り前皿１４に導入され、前皿１４が玉で満杯になると次は下皿用供給路６２を通り下皿１５に導入され、さらに下皿１５が玉で満杯になると溢れた玉は計数用供給路６４を通り持玉計数手段９０に導入されて計数され、ゲームの進行中に前皿１４内の玉が消費され、下皿１５または下皿１５及び前皿１４内の玉貯留量に余裕が生じれば、遊技者は玉落としスイッチ１７を押して制御手段４０に信号を送り、持玉表示手段５０に表示された玉数から減算表示された玉数に相当する玉を、下皿１５や前皿１４へ玉計数手段３０によって払出すことのできる構成が示されている。
【０００４】
ところで、近年、遊技場の経営形態として、１つの遊技媒体を貸し出す際に、同一遊技場の領域に応じて遊技媒体の貸し出し単価を変えるという手法が採用されている。すなわち、ある遊技場の半分は遊技媒体であるパチンコ玉を１玉４円で貸し出し、もう半分の領域ではパチンコ玉を１玉１円で貸し出すといった具合である。
【０００５】
そして、このように価値の異なる遊技媒体について、いわゆる持玉をデータとして保持する場合（データ化された持玉について、以下単に「持玉」という場合がある。）、価値の異なる遊技媒体毎に分けて持玉とすることが一般的である。つまり貸出レートがパチンコ玉１玉につき４円の台間機からパチンコ玉の貸し出しを受けて、遊技機での遊技によって獲得した賞球であれば４円レート(＝１玉につき４円)の持玉、貸出レートがパチンコ玉１玉につき１円の台間機からパチンコ玉の貸し出しを受けて、遊技機での遊技によって獲得した賞球であれば１円レート(＝１玉につき１円)の持玉として、それぞれ分けて持玉を行う。これに対して、持玉を払い出して遊技を行う場合は、当該台間機は予め設定により、レートが決められているため、当該設定によって決められた特定の価値の遊技媒体しか払い出すことができず、当該台間機から遊技者が払い出して使用できる持玉は限定されていた。
【先行技術文献】
【特許文献】
【０００６】
【特許文献１】特開平６−３１０４６号公報
【発明の概要】
【発明が解決しようとする課題】
【０００７】
しかし、例えば１円レートの持玉を多く有しているが、４円レートの持玉は僅かしかない遊技者が、４円レートに設定された台間機から持玉の払い出しを受けようとする場合、４円レートの持玉が僅かしかないため、１円レートの持玉を多く有しているにもかかわらず、当該遊技者は台間機に現金を投入する等して、新たに玉貸しを受け、遊技するしかなかった。このような状況は、当該遊技場に対して遊技者が不満を持つ一因となっていた。
【０００８】
そこで本発明は、上記課題に鑑み、遊技者が複数のレートのそれぞれで持玉を有している場合、使用する台間機のレートに合わせて持玉の払い出しを受けることを可能とし、当該台間機のレートとは異なるレートで持玉を有する遊技者の利便性を向上させることを目的とし、以て遊技場の経営に役立てることを目的とする。
【課題を解決するための手段】
【０００９】
前記目的を達成するため、請求項１の発明では、遊技機に対応して設けられている遊技媒体払出装置と、当該遊技媒体払出装置と接続されている管理装置とからなる遊技媒体払出システムであって、
前記遊技媒体払出装置は、
単位遊技媒体をいくらで払い出すかを示すレートが予め設定され、当該設定されたレートとは異なるレートに係る遊技媒体を払い出し可能に構成され、
遊技者が遊技の結果獲得した遊技媒体数である持玉数を、前記レート毎に口座で区分けして記憶する払出用口座情報記憶手段を有し、
前記管理装置は、
持玉数を、前記レート毎に口座で区分し、遊技者を識別する識別情報を関連付けて記憶する持玉数記憶手段と、
前記識別情報に基づいて、持玉数を特定する照会手段と、
遊技媒体払出装置を識別する遊技媒体払出装置識別情報に基づいて、当該遊技媒体払出装置について設定されているレートを特定するレート特定手段と、
特定されたレートを基準として、特定された持玉数のうち特定されたレート以外のレートに係る持玉数を、特定されたレートで換算する換算手段とを有する、遊技媒体払出システムとした。
【００１０】
請求項２の発明では、前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
遊技媒体の払い出しが行われた口座を確認すると共に、当該口座が自身に設定されたレートに係る口座であるか否かを確認する払出口座確認手段と、
前記払出口座確認手段によって遊技媒体の払い出しが行われた口座が自身に設定されたレートに係る口座以外の口座であると確認された場合に、当該口座の持玉数と自身に設定されたレートに係る口座の持玉数とを合算し、合算後の持玉数を自身に設定されたレートに係る口座に更新して記憶させる合算手段と、
前記識別情報と、前記払出用口座情報記憶手段に記憶されている持玉数を送信する情報送受信手段とを有し、
前記換算手段は、持玉数を受信すると、前記遊技媒体払出装置に設定されたレートに係る口座以外の口座に係る持玉数のうち、遊技媒体の払い出しが行われなかった口座に係る持玉数を、前記持玉数記憶手段の該当口座に係るレートで再換算する、請求項１に記載の遊技媒体払出システムとした。
【００１１】
請求項３の発明では、前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
前記払出用口座情報記憶手段に記憶されている各口座の持玉数を、当該各口座に係るレートで再換算する遊技媒体払出装置換算手段とを有する、請求項１に記載の遊技媒体払出システムとした。
【００１２】
請求項４の発明では、前記遊技媒体払出装置は、更に、
遊技媒体を払い出した口座の持玉数を呼び出して、当該持玉数から払い出された遊技媒体数を減算し、減算後の持玉数を当該口座に更新して記憶させる減算手段と、
自身に設定されたレートに係る口座以外の口座の持玉数と自身に設定されたレートに係る口座の持玉数とを合算し、合算後の持玉数を自身に設定されたレートに係る口座に更新して記憶させる合算手段とを有する、請求項１に記載の遊技媒体払出システムとした。
【発明の効果】
【００１３】
請求項１〜４の発明によれば、遊技者が価値の異なる遊技媒体それぞれで持玉を有している場合に、当該持玉を、使用する遊技媒体払出装置で夫々予め設定されているレートに合わせて、持玉の払い出しを受けることを可能とし、使用している遊技媒体払出装置のレートとは異なるレートで持玉を有する遊技者の利便性を向上させることができ、以て遊技場の経営に役立てることができる。
【図面の簡単な説明】
【００１４】
【図１】本発明に係る実施例１の遊技媒体払出システムＡの全体的な構成を示す概念図である。
【図２】本発明に係る実施例１のユニット、遊技機、計数機を示す正面図である。
【図３】本発明に係る実施例１の表示手段に価値の異なる遊技媒体毎に持玉数情報が表示されている一例を示す概念図である。
【図４】本発明に係る実施例１のサーバのレート情報記憶手段に記憶されているレート情報を示す概念図である。
【図５】本発明に係る実施例１の遊技媒体払出システムＡの処理の流れを示す流れ図である。
【図６】本発明に係る実施例１のサーバのサーバ持玉数情報記憶手段に記憶されている持玉数情報を示す概念図である。
【図７】本発明に係る実施例１のサーバのレート情報記憶手段に記憶されているレート情報を示す概念図である。
【図８】本発明に係る実施例１の払出用口座情報記憶手段の持玉数の口座の払い出しの有無を示す概念図である。
【図９】本発明に係る実施例１の遊技媒体払出システムＡの処理の流れを示す流れ図である。
【図１０】本発明に係る実施例１の遊技媒体払出システムＡの処理の流れを示す流れ図である。
【図１１】本発明に係る実施例２の遊技媒体払出システムＢの全体的な構成を示す概念図である。
【図１２】本発明に係る実施例２の遊技媒体払出システムＢのユニットの表示手段、口座選択操作手段、持玉払出操作手段を示す正面図である。
【図１３】本発明に係る実施例２の遊技媒体払出システムＢの処理の流れを示す流れ図である。
【図１４】本発明に係る実施例３の遊技媒体払出システムＣの全体的な構成を示す概念図である。
【図１５】本発明に係る実施例３の遊技媒体払出システムＣの処理の流れを示す流れ図である。
【図１６】本発明に係る実施例３の遊技媒体払出システムＣの処理の流れを示す流れ図である。
【発明を実施するための形態】
【００１５】
本発明は、遊技機に対応して設けられている遊技媒体払出装置と、当該遊技媒体払出装置と接続されている管理装置とからなる遊技媒体払出システムであって、前記遊技媒体払出装置は、単位遊技媒体をいくらで払い出すかを示すレートが予め設定され、当該設定されたレートとは異なるレートに係る遊技媒体を払い出し可能に構成され、遊技者が遊技の結果獲得した遊技媒体数である持玉数を、前記レート毎に口座で区分けして記憶する払出用口座情報記憶手段を有し、前記管理装置は、持玉数を、前記レート毎に口座で区分し、遊技者を識別する識別情報を関連付けて記憶する持玉数記憶手段と、前記識別情報に基づいて、持玉数を特定する照会手段と、遊技媒体払出装置を識別する遊技媒体払出装置識別情報に基づいて、当該遊技媒体払出装置について設定されているレートを特定するレート特定手段と、特定されたレートを基準として、特定された持玉数のうち特定されたレート以外のレートに係る持玉数を、特定されたレートで換算する換算手段とを有する構成とすることにより、使用している遊技媒体払出装置のレートとは異なるレートで持玉を有する遊技者の利便性を向上させることができ、以て遊技場の経営に役立てることができる。
【実施例１】
【００１６】
図１は、遊技媒体払出システムＡの全体を示す概念図である。遊技媒体払出システムＡは、記憶媒体の一例としての会員カード１と、遊技媒体払出装置の一例としてのユニット２と、管理装置の一例としてのサーバ３とから構成されている。ユニット２とサーバ３とは、通信回線を通じて接続されており、相互に情報及び信号の送受信が可能である。会員カード１は、内部に情報を書込み、また内部に記録された情報を読出すことのできる媒体であればよく、例えば、集積回路を組み込んだICカード、ICコイン等により実現可能である。特に、会員カード１は、識別情報記憶手段６を有している。
【００１７】
識別情報記憶手段６は、例えばRAMやROM等の半導体メモリからなる。この識別情報記憶手段６には、当該会員カード１に割り振られた固有の識別情報を記憶する。なお、識別情報として他の情報、例えば遊技場独自の番号等を識別情報記憶手段６に記憶させても良い。
【００１８】
ユニット２はいずれも、図２に示すように遊技場に複数設けられた各遊技機４に対応して設けられている台間機であり、現金が投入されると一定の遊技媒体を貸し出す、遊技媒体貸出機としての機能を備えている。またユニット２は読取手段８、表示手段９、払出手段１０（遊技媒体払出手段に相当）、持玉払出操作手段１１（払出操作手段に相当）、持玉払出操作手段１２（払出操作手段に相当）、払出用口座情報記憶手段１３、情報送受信手段１４、ユニット識別情報記憶手段１５、減算手段１６（演算手段に相当）、返却操作手段１７、払出口座確認手段１８、合算手段１９、払出数検知計数手段３６を備えている。更に、図２に示すように各遊技機４に対応して計数機５が配置され、ユニット２に接続されている。計数機５は、遊技の結果遊技者が獲得した遊技媒体を計数し、随時計数結果である持玉数情報をユニット２に送信して、受信したユニット２は、払出用口座情報記憶手段１３に記憶されている持玉数情報を更新して記憶させる。
【００１９】
読取手段８は、会員カード１と接触又は非接触で通信を行い、会員カード１の識別情報記録手段６に記憶されている識別情報を読み取るリーダである。すなわち読取手段８は、ユニット２に設けた会員カード挿入口(図示省略)に会員カード１を挿入させて、会員カード１に記憶された情報を読み取るように構成しても良いし、ユニット２の表面部にアンテナの覆域を設け、この覆域内に進入した会員カード１の情報を、電磁誘導を利用した交信方法によって非接触で読み取るように構成しても良い。なお、本実施例1では会員カード１を挿入させるように構成している。表示手段９は、各種の情報、例えば遊技に関する情報や遊技機４の稼働情報を表示したり、ユニット２を制御するコマンドやそれに対する応答出力等を表示したりする、例えばCRT、液晶ディスプレイ、プラズマディスプレイ、モニタである。特に表示手段９は会員カード１を使用してユニット２と通信を行っている遊技者の持玉数を表示する。
【００２０】
払出手段１０は、持玉払出操作手段１１又は１２から払出信号を受信すると、所定数の遊技媒体を払い出す制御機構である。持玉払出操作手段１１、１２及び返却操作手段１７は遊技者が押し下げ等の操作を行うと、払出信号を送信する等、ユニット２に情報を入力できる入力デバイスであって、例えばタッチパネル、キーボード、ボタン、レバーである。なお、本実施例においては、図３に示すように表示手段９に持玉払出操作手段１１、１２を表示させて、その表示部を遊技者が押すことのできる、タッチパネルの構成が示されている。
【００２１】
払出用口座情報記憶手段１３及びユニット識別情報記憶手段１５は、例えば、大容量メモリとして機能するハードディスク(HD)、不揮発性メモリ等を用いることができる。また記録媒体(メディア)へのアクセスを実現するための外部記憶ドライブを備えれば、記録媒体に記録されたプログラム等をユニット２のシステムにロードすることができる。記録媒体には、フレキシブルディスク(FD)、CD-ROM、CD-R、CD-RW、PCカード、DVD、ICメモリーカード、MO、メモリースティック等が含まれる。
【００２２】
払出用口座情報記憶手段１３は、遊技を行っている当該遊技者の持玉数情報が記憶される。詳しくは、会員カード１がユニット２の読取手段８に挿入された状態で、遊技を行い、当該遊技の結果獲得した遊技媒体であって、計数機５によって計数された、当該遊技者の持玉数情報や、後述のサーバ３から受信した持玉数情報が、価値の異なる遊技媒体毎に口座で区分けされて記憶される。但し、後述するように、払出用口座情報記憶手段１３には、他口座の持玉数情報であっても、換算手段２３によって当該ユニット２のレートで換算された後の持玉数情報が記憶される。つまり例えば、当該ユニット２が４円レートであり、当該遊技者が４円レートの口座１に「８５玉」、１円レートの口座２に「２６００玉」の持玉を有していた場合には、口座１の持玉数情報はそのまま記憶されるが、口座２の持玉数情報は、４円レートで換算された「６５０玉」という持玉数情報が払出用口座情報記憶手段１３に記憶される。ユニット識別情報記憶手段１５は、当該ユニット２に割り当てられたユニット識別情報が記憶されている。なお本明細書では、当該ユニット２に設定されたレートで持玉数情報が記憶されている口座を「基準口座」とし、当該ユニット２に設定されたレート以外のレートで持玉数情報が記憶されている口座を「他口座」とする。
【００２３】
情報送受信手段１４、減算手段１６、払出口座確認手段１８、合算手段１９は、例えば、CPU(Central Processing Unit)により構成することができる。情報送受信手段１４は、ユニット識別情報記憶手段１５に記憶されているユニット識別情報、会員カード１の識別情報、合算後の持玉数情報、基準口座の持玉数情報、他口座の持玉数情報をサーバ３に送信する。また、情報送受信手段１４は、他口座の換算後の持玉数情報及び換算時の余り分の持玉数情報を、基準口座の持玉数情報と共に受信する。減算手段１６は、ユニット２から払い出された遊技媒体の計数結果を、払出数検知計数手段３６より受信し、払出用口座情報記憶手段１３に記憶されている、会員カード１を使用して遊技を行っている当該遊技者の持玉数情報のうち、該当口座の持玉数情報を呼び出して、当該持玉数情報から払い出された遊技媒体数を減算し、減算後の持玉数を、当該口座の持玉数情報として更新して記憶させる。そして、払い出しを行った当該口座にフラグを立てる。また表示手段９に減算後の持玉数情報を表示させる。
【００２４】
払出口座確認手段１８は、払出用口座情報記憶手段１３に記憶されている持玉数情報の各口座にフラグが立っているか否かを確認し、フラグが立っている口座、つまり払い出しが行われた口座を特定する。更に、払い出しが行われた口座が基準口座であるか否かを確認する。確認した結果、払い出しが行われた口座が基準口座と異なっていた場合には、払出口座確認手段１８は、合算信号を合算手段１９に送信する。
【００２５】
合算手段１９は合算信号を受信すると、払出用口座情報記憶手段１３から払い出しが行なわれた他口座の持玉数情報、基準口座の持玉数情報を呼び出して合算する演算処理を行う。払出数検知計数手段３６は、ユニット２から払い出される遊技媒体を検知し、その数を計数し、計数結果を減算手段１６に送信する、例えば計数センサー等である。
【００２６】
サーバ３は、プログラム制御により動作するコンピュータであり、サーバ持玉数情報記憶手段２１（貯遊技媒体情報記憶手段に相当）、レート情報記憶手段２２、換算手段２３（演算手段に相当）、照会手段２４、レート特定手段２６を備えている。
【００２７】
サーバ持玉数情報記憶手段２１、レート情報記憶手段２２は、例えば、大容量メモリとして機能するハードディスク(HD)、不揮発性メモリを用いることができる。また記録媒体(メディア)へのアクセスを実現するための外部記憶ドライブを備えれば、記録媒体に記録されたプログラム等をサーバ３のシステムにロードすることができる。記録媒体には、フレキシブルディスク(FD)、CD-ROM、CD-R、CD-RW、PCカード、DVD、ICメモリーカード、MO、メモリースティック等が含まれる。
【００２８】
サーバ持玉数情報記憶手段２１には、各会員カード１に割り振られている識別情報毎に、各持玉数情報が記憶されている。詳しくは、各持玉数情報は、価値の異なる遊技媒体毎に口座で区分けされて記憶されている。そしてこれらの持玉数情報は識別情報と関連付けて記憶されており、識別情報に基づいて検索することが可能である。従って例えば、識別情報「00004」に基づいて、サーバ持玉数情報記憶手段２１内を検索すると、持玉が口座１に「85玉」、口座２に「2603玉」といった持玉数情報を引き出すことができる。レート情報記憶手段２２には、遊技場に設けられているユニット２の各レート情報が記憶されている。レート情報とは、単位遊技媒体をいくらで払い出すかを示すものであり、例えば１玉＝１円、１玉＝４円といった情報である。このレート情報は予め遊技場の担当者等により設定されるものであり、遊技場の経営方針により定められ、又は適宜変更されるものである。なお、本実施例では図４に示すようにユニット２毎に設定するものとしているが、予め複数のユニット２についてグループ設定を行い、この設定されたグループ毎にレート情報を設定する構成としても良い。
【００２９】
換算手段２３、照会手段２４、レート特定手段２６は、例えば、CPU(Central Processing Unit)により構成することができる。換算手段２３は、当該ユニット２で予め設定されているレート情報を基準として、会員カード１の識別情報によって特定されたサーバ持玉数情報記憶手段２１に記憶されている持玉数情報のうち、当該ユニット２のレート以外のレートで記憶されている口座の持玉数情報を、当該ユニット２のレートで換算する。また換算手段２３は、当該ユニット２のレートで換算された他口座の持玉数情報を、当該各口座のレートで再換算し、再換算後の持玉数情報をサーバ持玉数情報記憶手段２１の当該各口座に記憶させる。照会手段２４は、会員カード１の識別情報を受信して、当該識別情報に基づいてサーバ持玉数情報記憶手段２１内を照会し、当該識別情報と一致する識別情報に関連付けて記憶されている持玉数情報を特定する。また、識別情報に基づいてサーバ持玉数情報記憶手段２１内を照会し、当該識別情報と関連付けて記憶されている持玉数情報のうち、基準口座の持玉数情報を、合算後の持玉数情報に更新して記憶させ、払い出しが行われた他口座の持玉数情報を、更新して記憶させる。更に、識別情報に基づいてサーバ持玉数情報記憶手段２１内を照会し、当該識別情報と関連付けて記憶されている持玉数情報のうち、基準口座の持玉数情報を払い出し後の持玉数情報に更新して記憶させる。レート特定手段２６は、ユニット識別情報を受信して、当該ユニット識別情報に基づいてレート情報記憶手段２２内を検索し、該当するユニット２のレート情報を特定する。
【００３０】
次に、遊技媒体払出システムＡの具体的な処理の流れを説明する。最初に、サーバ３に持玉数情報が記憶されるまでの一連の流れの概略を説明する。具体的には、遊技者がユニット２に会員カード１を挿入し、更に現金をユニット２の現金投入口（図示省略）に投入して、遊技媒体の貸し出しを受けて遊技を開始する。そしてこの遊技で入賞すると遊技機４から所定量の遊技媒体が払い出される。これを計数機５で計数すると、その計数情報がユニット２に送信され、ユニット２では持玉数情報として記憶される。この持玉数を上限として、持玉払出操作手段１１又は持玉払出操作手段１２を操作することにより持玉を払い出して再び遊技に使用することができる。一方、当該遊技では持玉のすべてを使用せず、例えば他の遊技機４での遊技に使用したい場合は、ユニット２の返却操作手段１７を操作することにより、会員カード１がユニット２から排出（返却）される。この返却操作手段１７が操作されたとき、ユニット２はサーバ３に対し、少なくとも会員カード１の識別情報、残存している持玉数に関する持玉数情報、及び自身を識別するためのユニット２のユニット識別情報を送信する。そしてこれらの情報を受信したサーバ３は、受信したユニット識別情報に基づき、図４に示すようなデータテーブルを検索して当該ユニット２の使用口座を特定する。次に図６に示すようなデータテーブルにおいて、上記受信した会員カード１の識別情報に一致する識別情報に関連付けて、及び使用口座に関連付けて、当該受信した持玉数情報を記憶する。これを貸出レートの異なるユニット２でも行うことにより、複数の口座に持玉数情報が記憶されることとなる。
【００３１】
次に、遊技者がユニット２に予め設定されている貸出レート以外のレートで保有している持玉をユニット２から払い出す処理の流れを、図５を用いて説明する。まず、遊技者が会員カード１をユニット２の読取手段８に挿入してユニット２との通信を開始させると、読取手段８はこれを検知し、読取手段８は、会員カード１の識別情報記憶手段６に記憶されている識別情報を読み取る(S101)。情報送受信手段１４は、読取手段８を介して読み取った会員カード１の識別情報と、ユニット識別情報記憶手段１５に記憶されているユニット識別情報とをサーバ３に送信する(S102)。サーバ３の照会手段２４は、識別情報を受信して、当該識別情報に基づいてサーバ持玉数情報記憶手段２１内を照会し、当該識別情報と一致する識別情報に関連付けて記憶されている持玉数情報を特定する(S103)。例えば、図６に示すように識別情報「00004」を受信すると、当該識別情報に基づいて、サーバ持玉数情報記憶手段２１内を照会し、当該識別情報と一致する識別情報に関連付けて記憶されている、口座１に「85玉」、口座２に「2603玉」という持玉数情報を特定する。レート特定手段２６は、ユニット識別情報を受信して、当該ユニット識別情報に基づいてレート情報記憶手段２２内を検索し、該当するユニット２のレート情報を特定する(S104)。例えば当該ユニット２のユニット識別情報が「U0002」であった場合、当該ユニット識別情報に基づいて、レート情報記憶手段２２内を検索すると、図４に示すようにユニット識別情報「U0002」のユニット２のレートは「口座１」で設定されており、図７に示すように「口座１」は「４円レート」であるため、レート特定手段２６によって特定されるレートは「４円」となる。換算手段２３は、特定されたレート情報を基準として、照会手段２４によって特定された持玉数情報のうち、特定されたレート以外のレートで記憶されている口座の持玉数情報を、特定されたレートで換算する(S105)。
【００３２】
具体的には、この換算の際の演算式は、以下の通りである。
他口座レート÷基準口座レート＝レート比
レート比×他口座の持玉数情報＝換算後の持玉数情報
【００３３】
例えば上述したように、ユニット２のユニット識別情報が「U0002」で、レート特定手段２６によって特定されるレートが「４円」であった場合には、識別情報が「00004」の会員カード１を使用している遊技者の持玉数情報は、「４円」のレートの「口座１」が基準口座となり、「１円」レートの「口座２」が他口座となる。そして、この「口座２」に記憶されている持玉数情報を特定されたレートで換算する場合、上記演算式に則ると、
１円レート÷４円レート＝０．２５
０．２５×２６０３玉＝６５０玉・・・余り ３玉
となる。つまり、口座２の持玉を４円のレートで払い出そうとする場合、６５０玉払い出すことができる。そして余りは換算できないため、口座２にそのまま（１円レートの持玉として）留保しておく。なお、このとき当該口座２の中には、１円レートのままの３玉と、４円レートに換算した６５０玉の２種の持玉数情報が存在することとなる。なお更に、別の他口座(図６では口座３)に持玉数情報が記憶されていれば、当該持玉数情報も口座２の場合と同様に特定されたレートで換算する。
【００３４】
そして他口座の換算後の持玉数情報(＝６５０玉)を、基準口座の持玉数情報(＝８５玉)と共に、ユニット２に送信する(S106)。ユニット２では情報送受信手段１４を介してこれらの持玉数情報を受信して、口座毎に区分けして、払出用口座情報記憶手段１３に記憶する(S107)。また図３に示すように、受信した他口座の換算後の持玉数情報、基準口座の持玉数情報を口座毎に区分けして、表示手段９に表示する(S108)。ここで、遊技者が基準口座から持玉の払い出しを行う場合には、持玉払出操作手段１２をタッチし、他口座から持玉の払い出しを行う場合には、持玉払出操作手段１１をタッチする。持玉払出操作手段１１又は１２を遊技者等がタッチすると、持玉払出操作手段１１又１２は、払出操作を受け付け(S109)、払出信号を払出手段１０に送信する。払出信号を受信した払出手段１０は、遊技媒体を払い出す(S110)。なお、持玉払出操作手段１１又は持玉払出操作手段１２を遊技者等がタッチすると、例えば該当口座の持玉が全て払い出されるように設定しても良いし、一度の押し下げ操作で一定の量の持玉が払い出されるように設定しても良い。さらに、持玉払出操作手段１１、１２をタッチしている間だけ持玉が払い出されるように構成しても良い。
【００３５】
払出数検知計数手段３６は、ユニット２から払い出された遊技媒体を検知し、その数を計数し、計数結果を減算手段１６に送信する。減算手段１６は、払出用口座情報記憶手段１３に記憶されている、会員カード１を使用して遊技を行っている当該遊技者の持玉数情報のうち、該当口座の持玉数情報を呼び出して、当該持玉数情報から払い出された遊技媒体数を減算し(S111)、減算後の持玉数を、当該口座の持玉数情報として更新して記憶させる。そして、払い出しを行った当該口座にフラグを立てる。また表示手段９に減算後の持玉数情報を表示させる。なお、図８では払出状態が「１」となっているのが、フラグが立っている状態で、払い出しが行われた口座であることを示し、払出状態が「０」となっているのが、フラグが立っていない状態で、払い出しが行われていない口座であることを示している。
【００３６】
例えば、ユニット識別情報「U0002」のユニット２で、他口座である「口座２」から、「125玉」の払い出しが行われた場合、払出数検知計数手段３６は払い出されるパチンコ玉である遊技媒体を検知し、その数を計数し、「125玉」という計数結果を減算手段１６に送信する。計数結果を受信した減算手段１６は、払出用口座情報記憶手段１３に記憶されている、識別情報「00004」の会員カード１を使用して遊技を行っている当該遊技者の持玉数情報のうち、「口座２」の「650玉」という持玉数情報を呼び出して、この持玉数情報から、計数結果である「125玉」を減算する。そして、減算後の「525玉」という持玉数情報を払出用口座情報記憶手段１３の識別情報「00004」の「口座２」に更新して記憶させる。また、払い出しを行った「口座２」にフラグを立てる。更に表示手段９に減算後の持玉数情報「525玉」を表示させる。
【００３７】
そして図９及び図１０に示すように、遊技者が、当該遊技機４での遊技を終了する場合等に、返却操作手段１７を操作すると(S112)、払出口座確認手段１８は、払出用口座情報記憶手段１３に記憶されている持玉数情報の各口座にフラグが立っているか否かを確認し、払い出しが行なわれた口座を特定する。更に、払い出しが行なわれた口座が基準口座であるか否かを確認する(S113)。確認した結果、払い出しが行なわれた口座が基準口座と異なり、他口座であった場合には、払出口座確認手段１８は、合算信号を合算手段１９に送信する。合算信号を受信した合算手段１９は、今回払い出しが行なわれた他口座の持玉数情報、基準口座の持玉数情報を合算し(S114)、合算後の持玉数情報を払出用口座情報記憶手段１３の基準口座に更新して記憶する。そして、今回払い出しが行なわれた他口座の持玉数情報を「０玉」と更新して記憶する。
【００３８】
例えば、遊技者が、返却操作手段１７を操作すると、払出口座確認手段１８は、払出用口座情報記憶手段１３に記憶されている持玉数情報の各口座にフラグが立っているか否かを確認し、払い出しが行われた「口座２」を特定する。更に、払い出しが行われた口座が基準口座ではなく、他口座であることを確認すると、払出口座確認手段１８は、合算信号を合算手段１９に送信する。合算信号を受信した合算手段１９は、今回払い出しが行われた「口座２」の持玉数情報「525玉」、基準口座である「口座１」の持玉数情報「85玉」を合算する。合算後の持玉数情報「610玉」を払出用口座情報記憶手段１３の「口座１」に更新して記憶する。そして、今回払い出しが行なわれた「口座２」の持玉数情報を「０玉」と更新して記憶する。
【００３９】
会員カード１を読取手段８から取り出す等、会員カード１と読取手段８との通信が終了すると、払出用口座情報記憶手段１３の払い出しが行なわれた口座のフラグを、フラグの立っていない、デフォルトの状態に戻す。
【００４０】
そして、情報送受信手段１４は、少なくともユニット識別情報記憶手段１５に記憶されているユニット識別情報、会員カード１の識別情報、合算後の持玉数情報、今回払い出しが行われた他口座の持玉数情報、今回払い出しが行われなかった他口座の持玉数情報をサーバ３に送信する(S115)。サーバ３の照会手段２４は、識別情報に基づいてサーバ持玉数情報記憶手段２１内を照会し、当該識別情報と関連付けて記憶されている持玉数情報のうち、基準口座の持玉数情報を呼び出して合算後の持玉数情報に更新して記憶させ、今回払い出しが行われた他口座の持玉数情報を呼び出して「０玉」に更新して記憶させる(S116)。但し、当該口座に換算時の余り分の持玉数情報が記憶されている場合には、持玉数情報「０玉」にこの余り分の持玉数情報を加えた上で当該各口座に記憶させる。そして、換算手段２３は、払い出しが行われなかった他口座の持玉数情報を、当該各口座のレートで以下のように再換算し、再換算後の持玉数情報を当該各口座に記憶させる(S117)。
【００４１】
払い出しを行ったユニット２のレート÷当該口座のレート＝レート比
換算後の持玉数情報×レート比＝再換算後の持玉数情報
【００４２】
なお、当該口座に換算時の余り分の持玉数情報が記憶されている場合には、再換算後の持玉数情報にこの余り分の持玉数情報を加えた上で当該各口座に記憶させる。
【００４３】
例えば、情報送受信手段１４は、ユニット識別情報「U0002」、会員カード１の識別情報「00004」、合算後の持玉数情報「６１０玉」、今回払い出しが行なわれた「口座２」の持玉数情報「０玉」、今回払い出しが行われなかった「口座３」の持玉数情報「０玉」をサーバ３に送信する(S115)。サーバ３の照会手段２４は、識別情報「00004」に基づいてサーバ持玉数情報記憶手段２１内を照会し、識別情報「00004」と関連付けて記憶されている持玉数情報のうち、「口座１」の持玉数情報を合算後の持玉数情報「６１０玉」に更新し、「口座２」の持玉数情報「０玉」に換算時の余り分の持玉数情報「３玉」を加えて持玉数情報を「３玉」に更新する(S116)。そして換算手段２３は、「口座３」持玉数情報を口座３のレートで再換算し、再換算後の持玉数情報を「口座３」に記憶する(S117)。
【００４４】
一方、払出口座確認手段１８が、払出用口座情報記憶手段１３に記憶されている持玉数情報の各口座にフラグが立っているか否かを確認し、払い出しが行われた口座を特定し、更に、払い出しが行われた口座が基準口座であることを確認した場合には、情報送受信手段１４は、少なくともユニット識別情報記憶手段１５に記憶されているユニット識別情報、会員カード１の識別情報、基準口座の持玉数情報、他口座の持玉数情報をサーバ３に送信する(S118)。サーバ３の照会手段２４は、識別情報に基づいてサーバ持玉数情報記憶手段２１内を照会し、当該識別情報と関連付けて記憶されている持玉数情報のうち、基準口座の持玉数情報を呼び出して払い出し後の持玉数情報に更新する(S119)。そして、換算手段２３は、他口座の持玉数情報を、当該各口座のレートで再換算し、再換算後の持玉数情報を当該各口座に記憶させる(S120)。
【００４５】
このように遊技媒体払出システムＡを構成することによって、遊技者が複数のレートのそれぞれで持玉を有している場合、使用するユニット２のレートに合わせて持玉の払い出しを受けることを可能とし、当該ユニット２のレートとは異なるレートで持玉を有する遊技者の利便性を向上させることができる。
【００４６】
なおユニット２に書込制御手段(図示省略)を設け、また会員カード１に持玉数情報を記憶する持玉数情報記憶手段(図示省略)を設けて、合算後の持玉数情報、払い出しが行われなかった他口座の持玉数情報等を会員カード１の持玉数情報記憶手段に書き込む構成としても良い。このような構成にすれば、ユニット２とサーバ３が通信不能な状態、いわゆるオフラインの状態にあっても運用可能であり、便宜である。
【００４７】
また本実施例１では、他口座から払い出しが行われた場合に、当該他口座と基準口座の持玉数情報を合算して、合算後の持玉数情報をサーバ３に記憶させる構成を示したが、払い出しが行われた他口座の持玉数情報と基準口座の持玉数情報を合算するだけでなく、払い出しが行われなかった他口座の持玉数情報も合算し、合算後の持玉数情報をサーバ３に記憶させる構成としても良い。このような構成とすれば、持玉数情報を一元化することができて便宜である。
【実施例２】
【００４８】
上記実施例１においては、ユニット２に表示手段９を設け、会員カード１を使用してユニット２と通信を行っている遊技者の持玉数情報を表示する構成を示した。この場合の表示手段９は、上述したように、液晶ディスプレイのような一度に大量の情報を表示できる表示デバイスとしている。しかし、ユニット２の種類によっては、例えば7セグメントディスプレイ等、一度に大量の情報を表示できない表示デバイスを備えている場合も考えられる。そのような場合には、図１１に示すように、遊技媒体払出システムＢを構成する。
【００４９】
遊技媒体払出システムＢは、記憶媒体の一例としての会員カード１、遊技媒体払出装置の一例としてのユニット２８、管理装置の一例としてのサーバ３から構成されている。ユニット２８はいずれも、遊技場に複数設けられた各遊技機４に対応して設けられている台間機であり、現金が投入されると一定の遊技媒体を貸し出す、遊技媒体貸出機としての機能を備えている。またユニット２８は読取手段８、表示手段２９、口座選択操作手段３０、持玉払出操作手段３１、払出用口座情報記憶手段１３、情報送受信手段１４、ユニット識別情報記憶手段１５、減算手段１６、返却操作手段１７、払出口座確認手段１８、合算手段１９、払出数検知計数手段３６、表示手段３７、モード選択操作手段３８、払出操作手段３９、払出手段４０を備えている。更に、各遊技機４に対応して計数機５が配置され、ユニット２８に接続されている。
【００５０】
表示手段２９は、各種の情報、ユニット２８を制御するコマンドやそれに対する応答出力、遊技者の所有する持玉数情報等を表示することができるが、一度に大量な情報を表示することはできない表示デバイス、例えば、図１２に示すような、７セグメントディスプレイである。口座選択操作手段３０は、例えばボタン、レバー等の、ユニット２８に情報を入力できる入力デバイスである。特に口座選択操作手段３０は、価値の異なる遊技媒体毎に、口座別に区分けされてユニット２８の払出用口座情報記憶手段１３に記憶されている持玉数情報を、口座選択操作手段３０を操作することによって、７セグメントディスプレイ等の表示手段２９に口座毎に順に表示させることができる。持玉払出操作手段３１は遊技者が押し下げ等の操作を行うと、払出信号を送信する等、ユニット２に情報を入力できる入力デバイスであって、例えば、キーボード、ボタン、レバーである。
【００５１】
表示手段３７は、各種の情報、ユニット２８を制御するコマンドやそれに対する応答出力、貸出可能な残度数等の情報を表示することができるが、一度に大量な情報を表示することはできない表示デバイス、例えば、図１２に示すような、７セグメントディスプレイである。モード選択操作手段３８は、モード選択操作手段３８を操作することによって、７セグメントディスプレイ等の表示手段３７に表示させる情報を切り替えることができる。払出操作手段３９は遊技者が押し下げ等の操作を行うと、払出信号を送信する等、ユニット２８に情報を入力できる入力デバイスであって、例えば、キーボード、ボタン、レバーである。払出手段４０は、持玉払出操作手段３１又は払出操作手段３９から払出信号を受信すると、所定数の遊技媒体を払い出す制御機構である。
【００５２】
次に、遊技媒体払出システムＢの具体的な処理の流れを、図１３を用いて説明する。遊技者が会員カード１をユニット２８の読取手段８に挿入してユニット２との通信を開始すると、読取手段８はこれを検知し、読取手段８は、会員カード１の識別情報記憶手段６に記憶されている識別情報を読み取る(S201)。情報送受信手段１４は、読取手段８を介して読み取った会員カード１の識別情報とユニット識別情報記憶手段１５に記憶されているユニット識別情報をサーバ３に送信する(S202)。サーバ３の照会手段２４は、識別情報を受信して、当該識別情報に基づいてサーバ持玉数情報記憶手段２１内を照会し、当該識別情報と一致する識別情報に関連付けて記憶されている持玉数情報を特定する(S203)。レート特定手段２６は、ユニット識別情報を受信して、当該ユニット識別情報に基づいてレート情報記憶手段２２内を検索し、該当するユニット２８のレート情報を特定する(S204)。換算手段２３は、特定されたレート情報を基準として、照会手段２４によって特定された持玉数情報のうち、特定されたレート以外のレートで記憶されている口座の持玉数情報を、特定されたレートで換算する(S205)。
【００５３】
そして他口座の換算後の持玉数情報を、基準口座の持玉数情報と共にユニット２８に送信する(S206)。ユニット２８では情報送受信手段１４を介して、これらの持玉数情報を受信し、口座毎に区分けして、払出用口座情報記憶手段１３に記憶する(S207)。また受信した持玉数情報のうち基準口座の持玉数情報を、表示手段２９に表示する(S208)。表示手段２９に基準口座の持玉数情報が表示されている状態で、遊技者が持玉払出操作手段３１を押し下げる等の操作を行うと、基準口座の持玉が払い出される。一方、他口座から持玉の払い出しを行いたい場合には、口座選択操作手段３０を操作すると(S209)、表示手段２９の表示が基準口座の持玉数情報から他口座の持玉数情報の表示に切り替わる(S210)。その状態で、遊技者が持玉払出操作手段３１を押し下げる等の操作を行うと、他口座の持玉が払い出される(S211)。減算手段１６は、払い出された遊技媒体の数を検知し、払出用口座情報記憶手段１３に記憶されている該当口座の持玉数情報から払い出された遊技媒体数を減算する(S212)。
【００５４】
なお遊技媒体払出システムＢの上記以外の構成及び作用は、実施例１の遊技媒体払出システムＡと同様であるため、説明を省略する。
【実施例３】
【００５５】
上記実施例１及び２においては、払い出しが基準口座ではなく、他口座から行われた場合には、払出口座確認手段１８は、合算信号を合算手段１９に送信し、合算信号を受信した合算手段１９は、払い出しが行われた他口座の持玉数情報を、基準口座の持玉数情報と合算する構成となっているが、合算すると不都合が生じる場合もある。例えば遊技場で、４円口座の持玉で景品交換を行う場合と、１円口座の持玉で景品交換を行う場合とで、交換に必要な持玉数が実質的に異なる場合である。かかる事態は、当該景品の価格と、当該景品を持玉数に変換した場合の端数処理の仕方によって生じるものである。つまり、ある景品の価格が１９５円だった場合、１玉当たり４円のレートでは、端数を切り上げると、４９玉必要となる。一方、１玉当たり１円のレートでは、１９５玉必要となる。そうすると、４９玉×４円＝１９６玉となり、１円のレートで景品と交換した場合に比べて、実質的に交換に必要な持玉数が異なることとなる。そのような場合に、上記実施例１及び実施例２のように、払い出しが行われた他口座の持玉数情報を基準口座の持玉数情報と合算する構成とすると、遊技者には景品交換時に差分利益が生じることとなる一方、遊技場には損失が発生したり、その逆に遊技者に損失が発生する一方、遊技場に差分利益が生じることとなる。そこで、かかる事態を防止するために、図１４のような遊技媒体払出システムＣを以下に示す。
【００５６】
遊技媒体払出システムＣは、会員カード１、ユニット３２、サーバ３から構成されている。ユニット３２はいずれも、遊技場に複数設けられた各遊技機４に対応して設けられている台間機であり、現金が投入されると一定の遊技媒体を貸し出す、遊技媒体貸出機としての機能を備えている。またユニット３２は読取手段８、表示手段９、払出手段１０、持玉払出操作手段１１、持玉払出操作手段１２、払出用口座情報記憶手段１３、情報送受信手段１４、ユニット識別情報記憶手段１５、減算手段１６、返却操作手段１７、換算手段３３（演算手段に相当）、払出数検知計数手段３６を備えている。更に、各遊技機４に対応して計数機５が配置され、ユニット３２に接続されている。
【００５７】
換算手段３３は、例えば、CPU(Central Processing Unit)により構成することができる。換算手段３３は、払出用口座情報記憶手段１３の各口座に記憶されている持玉数情報を、各口座のレートでそれぞれ再換算し、再換算後の持玉数情報を、払出用口座情報記憶手段１３に記憶されている各口座に記憶させる。
【００５８】
具体的には、この再換算の際の演算式は、以下の通りである。
払い出しを行ったユニット３２のレート÷当該口座のレート＝レート比
換算後の持玉数情報×レート比＝再換算後の持玉数情報
【００５９】
つまり例えば、ユニット３２のレートが「４円」、ある他口座のレートが「１円」で、他口座にユニット３２のレートで「525玉」の持玉数情報が記憶されている場合、他口座のレートに再換算すると、「2100玉」の持玉数情報が記憶されていることとなる。なお、当該他口座に、換算手段２３による換算時の余り分の持玉数情報が記憶されている場合には、この換算時の余り分の持玉数情報を再換算後の持玉数情報に加える。この再換算を、基準口座及び他口座を含めた全ての口座について行う。
【００６０】
次に、遊技媒体払出システムCの具体的な処理の流れを、図１５を用いて説明する。遊技者が会員カード１をユニット３２の読取手段８に挿入、近接等してユニット３２との通信を開始すると、読取手段８はこれを検知し、読取手段８は、会員カード１の識別情報記憶手段６に記憶されている識別情報を読み取る(S301)。情報送受信手段１４は、読取手段８を介して読み取った会員カード１の識別情報とユニット識別情報記憶手段１５に記憶されているユニット識別情報をサーバ３に送信する(S302)。サーバ３の照会手段２４は、識別情報を受信して、当該識別情報に基づいてサーバ持玉数情報記憶手段２１内を照会し、当該識別情報と一致する識別情報に関連付けて記憶されている持玉数情報を特定する(S303)。レート特定手段２６は、ユニット識別情報を受信して、当該ユニット識別情報に基づいてレート情報記憶手段２２内を検索し、該当するユニット３２のレート情報を特定する(S304)。換算手段２３は、特定されたレート情報を基準として、照会手段２４によって特定された持玉数情報のうち、特定されたレート以外のレートで記憶されている口座(＝他口座)の持玉数情報を、特定されたレートで換算する(S305)。
【００６１】
そして他口座の換算後の持玉数情報を、基準口座の持玉数情報と共に、ユニット３２に送信する(S306)。ユニット３２では受信したこれらの持玉数情報を、口座毎に区分けして、払出用口座情報記憶手段１３に記憶する(S307)。また、基準口座の持玉数情報及び換算後の他口座の持玉数情報を口座毎に区分けして、表示手段９に表示する(S308)。ここで、遊技者が基準口座から持玉の払い出しを行う場合には持玉払出操作手段１２をタッチし、他口座から持玉の払い出しを行う場合には持玉払出操作手段１１をタッチする。持玉払出操作手段１１又は１２を遊技者等がタッチすると、持玉払出操作手段１１又１２は払出操作を受け付け(S309)、払出信号を払出手段１０に送信する。払出信号を受信した払出手段１０は、遊技媒体を払い出す(S310)。
【００６２】
払出数検知計数手段３６は、ユニット３２から払い出された遊技媒体を検知し、その数を計数し、計数結果を減算手段１６に送信する。減算手段１６は、払い出された遊技媒体の数を検知し、払出用口座情報記憶手段１３に記憶されている該当口座の持玉数情報から払い出された遊技媒体数を減算する(S311)。そして、減算手段１６は減算後の持玉数情報を払出用口座情報記憶手段１３の該当口座に記憶させるとともに、表示手段９に減算後の持玉数情報を表示させる。
【００６３】
そして図１６に示すように遊技者が、当該遊技機４での遊技を終了する場合等に、返却操作手段１７を操作すると(S312)、換算手段３３は、各口座の換算後の持玉数情報を、各口座のレートでそれぞれ再換算して、元の当該口座のレートにおける持玉数に戻す(S313)。
【００６４】
例えば、上述した実施例１のように、他口座である「口座２」から払い出しが行われた場合、遊技者が、当該遊技機４での遊技を終了する場合等に、返却操作手段１７を操作すると、換算手段３３は、「口座２」の持玉数情報「525玉」を、口座２のレート「１円」で再換算して、「口座２」のレートにおける持玉数情報「2100玉」に戻す。一方、「口座１」の持玉数情報「８５玉」を口座１のレート「４円」で再換算すると、持玉数情報は「８５玉」で変わらない。
【００６５】
情報送受信手段１４は、少なくともユニット識別情報記憶手段１５に記憶されているユニット識別情報、会員カード１の識別情報、再換算後の基準口座の持玉数情報、再換算後の他口座の持玉数情報をサーバ３に送信する(S314)。サーバ３の照会手段２４は、識別情報に基づいてサーバ持玉数情報記憶手段２１内を照会し、当該識別情報と関連付けて記憶されている持玉数情報のうち、基準口座の持玉数情報を呼び出して換算後の持玉数情報に更新して記憶させると共に、他口座の持玉数情報を呼び出して換算後の持玉数情報に更新して記憶させる(S315)。
【００６６】
なお遊技媒体払出システムＣの上記以外の構成及び作用は、実施例１の遊技媒体払出システムＡと同様であるため、説明を省略する。
【００６７】
また本実施例では、ユニット３２に換算手段３３を設け、再換算を行う構成を示したが、各口座の持玉数情報をサーバ３に送信し、サーバ３の換算手段２３で再換算を行う構成としても良い。
【００６８】
また、上記実施例１〜３では、記憶媒体の一例として会員カード１を用いたが、これに限定されるものではなく、例えば遊技場の会員でない、いわゆるビジターに対して発行するICコイン・ICカード等であってもよい。この場合、そのICコイン・ICカード等にはそれぞれ固有の識別情報が記憶された識別情報記憶部を設け、管理装置（サーバ）には各識別情報に関連付けて持玉数を記憶するよう構成する。
【００６９】
更にICコインの場合は、ユニットに挿入されると、当該ICコインに記憶されている持玉数情報は、読み取られてユニットに記憶された後、コイン内の持玉数情報は消去され、そして遊技者が、当該遊技機４での遊技を終了する場合等に、予めユニット内にストックしてあった新たなICコインに、残存持玉数情報を書き込み、当該コインを返却する構成としても良い。
【００７０】
また、上記実施例１〜３における識別情報記憶手段６等の各記憶手段は、例えば物理的に複数の記憶装置を用い、各記憶装置に各記憶手段を割り当てて構成しても良いし、１つの記憶装置に複数の記憶領域を設け、これを各記憶手段に割り当てる構成としても良い。同様に、情報送受信手段１４、減算手段１６等の演算・制御等を行う手段は、例えば物理的に複数のCPUを用い、各CPUに各演算・制御等を行う手段を割り当てて構成しても良いし、1つのCPUで演算・制御等を行わせるように構成しても良い。
【００７１】
また、上記実施例１〜３における持玉数情報の換算及び再換算に用いる演算式は一例であって、これらに限定されるものではなく、換算又は再換算の目的を達成できれば、式の加減乗除の別は問わない。
【００７２】
また、上記実施例１〜３においては、払出手段、減算手段、換算手段等の各機能を有する手段が、それぞれ独立して別個に機能する構成を示したが、全ての手段を統括する制御手段(図示省略)を設け、この制御手段を介して各手段が機能する構成としても良い。つまり、例えば返却操作手段１７が操作されると、返却操作手段１７は制御手段に返却操作信号を送信し、返却操作信号を受信した制御手段が換算信号を換算手段３３に送信し、換算信号を受信した換算手段３３は、各口座の換算後の持玉数情報を、各口座のレートでそれぞれ再換算する、などの構成としても良い。
【００７３】
また、上記実施例１〜３においては、サーバ持玉数情報記憶手段２１に記憶されている持玉数情報を換算手段２３によって換算し、換算を行った際に、サーバ持玉数情報記憶手段２１に記憶されている持玉数情報を書き換えて記憶させる構成を示したが、換算時にサーバ持玉数情報記憶手段２１内の持玉数情報を、換算後の持玉数情報に書き換えて記憶させずにサーバ持玉数情報記憶手段２１に記憶されている持玉数情報はそのままにする構成としても良いし、換算後の持玉数情報をサーバ３のいずれかの記憶手段に、元のサーバ持玉数情報記憶手段２１の持玉数情報とは別個に記憶させ、当該別個に記憶した換算後の持玉数情報を送信して、ユニット２の払出用口座情報記憶手段１３に記憶させる構成としても良い。後者の場合、当該別個に記憶した換算後の持玉数に基づいて持玉の払出を行うとともに減算処理を行い、遊技者が会員カード１の返却操作をユニット２に対して行う等の所定のタイミングで、当該別個に記憶した換算後の持玉数を元のレートに再換算して、再換算後の持玉数情報をサーバ持玉数情報記憶手段２１に更新記憶させるように構成する。
【符号の説明】
【００７４】
Ａ：遊技媒体払出システム、Ｂ：遊技媒体払出システム、Ｃ：遊技媒体払出システム、
１：会員カード、２：ユニット、３：サーバ、４：遊技機、５：計数機、６：識別情報記憶手段、８：読取手段、９：表示手段、１０：払出手段、１１：持玉払出操作手段、１２：持玉払出操作手段、１３：払出用口座情報記憶手段、１４：情報送受信手段、１５：ユニット識別情報記憶手段、１６：減算手段、１７：返却操作手段、１８：払出口座確認手段、１９：合算手段、２１：サーバ持玉数情報記憶手段、２２：レート情報記憶手段、２３：換算手段、２４：照会手段、２６：レート特定手段、２８：ユニット、２９：表示手段、３０：口座選択操作手段、３１：持玉払出操作手段、３２：ユニット、３３：換算手段、３６：払出数検知計数手段、３７：表示手段、３８：モード選択操作手段、３９：払出操作手段、４０：払出手段
【図１】
2014221258.tif 000003
【図２】
2014221258.tif 000004
【図３】
2014221258.tif 000005
【図４】
2014221258.tif 000006
【図５】
2014221258.tif 000007
【図６】
2014221258.tif 000008
【図７】
2014221258.tif 000009
【図８】
2014221258.tif 000010
【図９】
2014221258.tif 000011
【図１０】
2014221258.tif 000012
【図１１】
2014221258.tif 000013
【図１２】
2014221258.tif 000014
【図１３】
2014221258.tif 000015
【図１４】
2014221258.tif 000016
【図１５】
2014221258.tif 000017
【図１６】
2014221258.tif 000018